(57)【要約】  各パッケージが複合窓を有するパッケージを提供する。複合窓は、窓と窓の図形表示との組み合わせであってよい。図形表示はまた、任意の吸収性物品の視覚的印象を提供することができ、これは窓を通して見ることができる。パッケージはまた、複合窓が、消費者により大きな窓の視覚的印象を提供する様式で、パッケージ上に位置するように、１つを超える複合窓を有してもよい。
2010523424.tif 000002
【特許請求の範囲】
【請求項１】
ａ．パッケージの外部表面及び内部空間を画定する少なくとも１つの壁と、
ｂ．前記パッケージの内部空間内に収容された少なくとも１つの吸収性物品と、
ｃ．前記パッケージ上に位置する複合窓であって、
ｉ．吸収性物品の少なくとも一部を見ることができるように位置する窓と、
ｉｉ．前記パッケージの外部表面上に配置され、前記窓の少なくとも一部及び吸収性物品の少なくとも一部の図形表示を提供する図形と、を含む、複合窓と、
を備えるパッケージ。
【請求項２】
前記窓が、その上に配置された窓の図形を有し、前記窓の図形が、吸収性物品の少なくとも一部の図形表示を提供する、請求項１に記載のパッケージ。
【請求項３】
前記図形が、少なくとも部分的に前記窓に続く、請求項１又は２に記載のパッケージ。
【請求項４】
ａ．前記パッケージの外部表面及び内部空間を画定する少なくとも１つの壁と、
ｂ．前記パッケージの内部空間内に収容された少なくとも１つの吸収性物品と、
ｃ．前記パッケージ上に位置する集合窓であって、
ｉ．吸収性物品の少なくとも一部を見ることができるように位置する窓、及び前記パッケージの外面上に配置され、前記窓の少なくとも一部及び吸収性物品の少なくとも一部の図形表示を提供する図形、を含む複合窓と、
ｉｉ．吸収性物品の少なくとも一部を見ることができるように位置する第２の窓、及び前記パッケージの外面上に配置され、前記第２の窓の少なくとも一部及び吸収性物品の少なくとも一部の図形表示を提供する第２の図形、を含む第２の複合窓と、を含む、集合窓と、
を備えるパッケージ。
【請求項５】
前記図形及び第２の図形が、前記パッケージの隣接する壁上に配置される、請求項４に記載のパッケージ。
【請求項６】
少なくとも前記窓又は前記第２の窓がその上に配置された窓の図形を有し、前記窓の図形が吸収性物品の少なくとも一部の図形表示を提供する、請求項４又は５に記載のパッケージ。
【請求項７】
ａ．
ｉ．前記パッケージの外部表面及び内部空間を画定する少なくとも１つの壁と、
ｉｉ．前記パッケージの内部空間内に収容された少なくとも１つの吸収性物品と、
ｉｉｉ．所定の形状を有し、前記パッケージ上に位置する複合窓であって、吸収性物品の少なくとも一部を見ることができるように位置する窓、及び前記パッケージの外部表面上に配置され、前記窓の少なくとも一部及び吸収性物品の少なくとも一部の図形表示を提供する図形、を含む複合窓と、
を有するパッケージと、
ｂ．
ｉ．第２のパッケージの外部表面及び内部空間を画定する少なくとも１つの壁と、
ｉｉ．前記第２パッケージの内部空間内に収容された少なくとも１つの吸収性物品と、
ｉｉｉ．所定の形状を有し、前記第２のパッケージ上に位置する複合窓であって、吸収性物品の少なくとも一部を見ることができるように位置する窓、及び前記第２のパッケージの外部表面上に配置され、前記窓の少なくとも一部及び吸収性物品の少なくとも一部の図形表示を提供する図形、を含む複合窓と、
を有する第２のパッケージと、
ｃ．所定の形状を有する窓の組み合わせであって、
ｉ．前記パッケージの複合窓と、
ｉｉ．前記第２のパッケージの複合窓と、を含む、窓の組み合わせと、
を含むパッケージの配列。
【請求項８】
前記パッケージの複合窓の前記所定の形状と前記第２のパッケージの複合窓の前記所定の形状とが異なる、請求項７に記載のパッケージの配列。
【請求項９】
前記窓の組み合わせの前記所定の形状が、前記パッケージの複合窓の前記所定の形状及び前記第２のパッケージの複合窓の前記所定の形状と異なる、請求項７又は８に記載のパッケージの配列。
【請求項１０】
前記パッケージが、前記窓の組み合わせを含むように、販売時に前記第２のパッケージに隣接する、請求項７〜９に記載のパッケージの配列。
【発明の詳細な説明】
【技術分野】
【０００１】
本発明は、吸収性物品を収容しているパッケージ、特に窓を備えるパッケージに関する。
【背景技術】
【０００２】
販売時に、パッケージは、消費者の注意をその中に収容されている製品に引きつける主な機構であることが多い。このように、製造業者は、消費者がそれらのパッケージを競合企業のパッケージと区別するのを補助するためにパッケージの特徴を用いる。これらの特徴としては、通常はパッケージの形状、大きさ又は色が挙げられる。
【０００３】
しかしながら、特定の製品の場合、パッケージ内に収容されていることに加えて、製品はまた、例えばパケットに個別に包装される場合がある。吸収性物品の製造業者は、吸収性物品を個別に包装することが多い。頻繁に、吸収性物品を収容している包装紙は独特の外観を有するが、その包装紙の外観はまた、その中に個々に包まれた吸収性物品が収容されているパッケージと調和していてもよい。労力及び費用を費やして個々に包装された吸収性物品を提供しているが、それらを販売時に消費者に見せることは困難であった。これはパッケージ自体の性質によるものであり、パッケージは通常、個々に包装された吸収性物品を封入し、販売時に消費者から分離するよう機能する、厚紙、着色プラスチック及び／又は印刷フィルムから形成される。
【０００４】
包装紙を消費者に見せる１つの方法は、それを通して消費者が包装紙を見ることができる窓を用いることである。しかしながら、窓は、消費者にパッケージ内の包装紙を見せることを可能にするが、いくつかの欠点を有する。１つの欠点はコストが増加することである。透明窓を生産するのに用いられる材料の価格は、置換された材料のコストを超えることが多い。更に、窓はパッケージ上の特定の位置に拘束される。これらの位置の拘束は、パッケージの構造一体性を維持したいという要求の結果である。例えば、窓及び開口部は、一般的に、角部及び縁部がパッケージの構造一体性の維持を補助するとき、パッケージの角部又は縁部に延在しない。パッケージの構造一体性を維持することにより、角部及び縁部は、パッケージ上に及ぼされる圧力により引き起こされる場合のある、パッケージ中に収容されている任意の吸収性物品及びパッケージ自体への損傷を防ぐ。
【発明の概要】
【発明が解決しようとする課題】
【０００５】
しかしながら、窓が大きくなるほど、販売時に消費者がより多くの吸収性物品を見ることができるようになり、これはパッケージ内に対する消費者の興味を増大させることができる。それ故、パッケージの構造一体性を維持しながら、より大きな窓の効果を兼ね備えたパッケージを提供することが望ましい。
【課題を解決するための手段】
【０００６】
パッケージの外部表面及び内部空間を画定する少なくとも１つの壁を有するパッケージを提供する。パッケージは、内部空間に少なくとも１つの吸収性物品を収容する。更に、パッケージ上に位置するのは複合窓である。複合窓は窓を含み、該窓は、吸収性物品の少なくとも一部を見ることができるように位置する。複合窓はまた、図形を含み、該図形はパッケージの外部表面上に配置され、窓の少なくとも一部及び吸収性物品の少なくとも一部の図形表示を提供する。
【０００７】
また、パッケージの外部表面及び内部空間を画定する少なくとも１つの壁を備える、パッケージを提供する。パッケージは、内部空間内に少なくとも１つの吸収性物品を収容する。更に、パッケージ上に位置するのは集合窓である。集合窓は、複合窓及び第２の複合窓を含む。複合窓は窓を含み、該窓は吸収性物品の少なくとも一部を見ることができるように位置する。複合窓はまた、図形を含み、該図形はパッケージの外部表面上に配置され、真殿少なくとも一部及び吸収性物品の少なくとも一部の図形表示を提供する。第２の複合窓は第２の窓を含み、該第２の窓は、吸収性物品の少なくとも一部を見ることができるように位置する。第２の複合窓はまた、第２の図形を含み、該第２の図形はパッケージの外面上に配置され、第２の窓の少なくとも一部及び吸収性物品の少なくとも一部の図形表示を提供する。
【０００８】
更にパッケージ配列が提供され、これは、パッケージ、第２のパッケージ、及び窓の組み合わせを含む。パッケージは、パッケージの外面と内部空間を画定する少なくとも１つの壁を有する。パッケージは内部空間内に少なくとも１つの吸収性物品を収容する。更に、パッケージ上に位置するのは、所定の形状を有する複合窓である。複合窓は窓を含み、該窓は吸収性物品の少なくとも一部を見ることができるように位置する。複合窓はまた図形を含み、該図形はパッケージの外部表面上に配置され、窓の少なくとも一部及び吸収性物品の少なくとも一部の図形表示を提供する。
【０００９】
第２のパッケージは、該第２のパッケージの外部表面と内部空間を画定する少なくとも１つの壁を有する。第２のパッケージは内部空間内に少なくとも１つの吸収性物品を収容する。更に、第２のパッケージ上に位置するのは、所定の形状を有する複合窓である。複合窓は窓を含み、該窓は吸収性物品の少なくとも一部を見ることができるように位置する。複合窓はまた図形を含み、該図形は第２パッケージの外面上に配置され、窓の少なくとも一部及び吸収性物品の少なくとも一部の図形表示を提供する。パッケージの配列は更に所定の形状を有する窓の組み合わせを含む。窓の組み合わせは、パッケージの複合窓及び第２のパッケージの複合窓を含む。
【図面の簡単な説明】
【００１０】
【図１】本発明の実施形態の部分切欠斜視図。
【図２】円筒形パッケージを示す本発明の実施形態の斜視図。
【図３】本発明の実施形態の斜視図。
【図４】本発明の実施形態の斜視図。
【図５】本発明の実施形態の斜視図。
【図６】本発明の実施形態の斜視図。
【図７】本発明の実施形態の斜視図。
【図８】本発明の実施形態の斜視図。
【図９】本発明の実施形態の斜視図。
【図１０】本発明の実施形態の斜視図。
【図１１】本発明の実施形態の斜視図。
【図１２】本発明の実施形態の斜視図。
【図１３】２つのパッケージを有する本発明の実施形態の斜視図。
【図１４】２つのパッケージを有する本発明の実施形態の斜視図。
【図１５】本発明の実施形態の斜視図。
【発明を実施するための形態】
【００１１】
本明細書で使用するとき、用語「吸収性物品」は、身体排出物のような、物質を吸収及び／又は収容する物品を指す。典型的な吸収性物品は、着用者の身体内に、身体に接触して、又は身体に近接して定置され、種々の身体排出物を吸収及び／又は収容する。吸収性物品の例としては、婦人衛生物品、成人用失禁製品、衛生ティッシュ製品（ティッシュペーパー、トイレットペーパー、紙タオル、拭き取り用品）及び乳児ケア製品（おむつ）が挙げられる。本明細書で使用するとき、用語「吸収性物品」はまた、典型的には吸収性物品と関連することができる、任意の関連する包装紙又はアプリケータを指す。例えば、吸収性物品は、アプリケータを含んでもよく、若しくは含まなくてもよいタンポンであることができ、及び／又は、婦人生理用ナプキンを個々に封入する包装紙のような、包装紙を含んでもよく、若しくは含まなくてもよい婦人生理用ナプキンであることができる。
【００１２】
本明細書で使用するとき、用語「婦人衛生物品」は、婦人生理用ナプキン、タンポン、陰唇間製品、ペッサリー及びパンティライナのような、経血及び／又は軽い失禁を制御するために、女性が着用することができる吸収性物品を指す。
【００１３】
本明細書で使用するとき、用語「接合した」は、第１の要素が第２の要素に直接固定される構成を包含する。接合した、はまた、第１の要素を少なくとも１つの中間部材に固定し、これを次に第２の要素に固定することにより、第１の要素を第２の要素に間接的に固定した構成も含む。更に、用語接合した、は、第１の要素が第２の要素の一部であるように、第１要素が第２要素と一体である構成を対象とする。第１の要素及び第２の要素は、固定して接合することができる、又は解放可能に接合することができる。
【００１４】
本発明の実施形態を、以下の図を用いて説明する。しかしながら、本発明は、図に示す特定の構成を有する構造に限定されない。
【００１５】
図１は、パッケージが、１つ又はそれ以上の吸収性物品４０を格納するための内部格納空間３０を画定する１つ又はそれ以上の壁２２を有する箱であってもよい、パッケージ２０を示す。各壁２２は内部表面及び外部表面を有し、これはパッケージ２０の内部表面及び外部表面２４を形成する。壁２２は、異なる材料で構成してもよく、又は実質的に同じ種類の材料で構成してもよい。壁２２は、紙及び／又はプラスチックのような、材料の積層体であってもよい。パッケージ２０は、複合窓９０を含み、これは実際の窓（窓）５０及び本明細書では「図形」と呼ばれる窓の図形６０を含む。本明細書で使用するとき、用語「複合窓」は、実際の窓及び図形により提供される単一（複合）窓の視覚的印象を指し、該図形は実際の窓に少なくとも部分的に続き、又は近接して、実際の窓より大きな複合窓の視覚的印象を提供する。複合窓９０は、消費者に、複合窓が実際の窓より大きいという視覚的印象を提供する任意の形状又は大きさであることができる。パッケージ２０は、吸収性物品４０を収容することができる大きさ又は形状であることができる。図２に示すように、円筒形パッケージ２０は複合窓９０を有してもよく、複合窓９０は窓５０及び図形６０を含む。
【００１６】
本明細書で使用するとき、用語「図形」は、図形がパッケージ上に位置する窓の延長である、販売時に消費者に視覚的印象を提供するような方法で、パッケージの外部表面上に配置された窓の図形表示を指す。ある実施形態では、窓の図形表示に加えて、図形はパッケージ内に収容された吸収性物品の図形表示を含んでもよい。他の実施形態では、図形は、パッケージ内に収容されたもの以外の吸収性物品の図形表示を含んでもよい。吸収性物品の図形表示は、消費者が、パッケージを見ているとき、吸収性物品がパッケージ内に収容され、窓を通して見ることができる視覚的印象を有するようなものであってもよい。
【００１７】
ある実施形態では、パッケージ２０の壁２２を含む材料は、厚紙、板紙、カートン用板紙、ボール紙、プラスチック、紙、カード用紙、セラミック、メッシュ、スクリーン又はこれらの組み合わせのような、比較的非可撓性の材料であることができる。ある他の実施形態では、パッケージ２０の壁２２は、吹込フィルム又は流延フィルム、布地、ウェブ又はこれらの組み合わせのような、比較的可撓性の材料で製造することができる。可撓性材料は、ポリエチレン、メタロセン、エチレンビニルアセテート、サーリン、ポリエチレンテレフタレート、２軸配向ポリプロピレン、ナイロン、天然繊維、合成繊維又はこれらの組み合わせを含んでよい。本明細書で使用するとき、用語「可撓性」は、弾性的であり、外力の存在下で変形する材料を指す。
【００１８】
壁２２は、折り畳まれ、相互に固定され、パッケージ２０を形成することができる。壁２２は、接着剤の使用を通すような、当該技術分野において既知である任意の手段により相互に固定することができる。２つの壁２２が交差するとき、それらはパッケージ２０の縁部２５を形成する、例えば、箱の形状（図１に示すような）を有するパッケージ２０の各壁２２は４つの縁部２５を有する。パッケージ２０はまた、吸収性物品４０に容易に接近するために、内部格納空間３０に接近するための手段を含んでもよい。内部格納空間３０に接近するための機構又は手段としては、ミシン目線、タブ、フラップ、接着剤開口部、これらの組み合わせ、又は当業者に既知である内部格納空間３０に接近するための任意の手段を挙げることができる。
【００１９】
図１に示すように、パッケージ２０は少なくとも１つの透明窓５０を含む。本明細書で使用するとき、「透明」は、パッケージ２０内に収容された吸収性物品を、窓５０を通して消費者が見ることができるように、実質的に散乱することなく光を透過する特性を有することを意味する。窓５０は、当該技術分野において既知である任意の手段により形成することができる。窓５０は、例えば透明フィルムのような、透明カバーを含むことができる。更に又はあるいは、窓５０は、カバーを含まないパッケージ２０内の開口部を含むことができる。特定の実施形態では、窓５０は、明瞭であり、半透明である、及び／又は薄く着色されたものであることができる、透明カバーを含むことができる。透明カバーは、１色又は色の組み合わせで薄く着色することができる。透明カバーはまた、又はあるいは、印刷及び／又はエンボス加工することができる。更に他の実施形態では、窓は、該窓を取り囲んでいる外部表面がより高い不透明度を有する又は透明性を有しないような、窓の透明性の程度とパッケージの外部表面とを識別することにより、形成することができる。
【００２０】
窓５０は、円形、正方形、矩形、台形、楕円形、三角形、又は消費者がパッケージ２０内に収容された吸収性物品４０を見ることができるようにするために用いることができるその他の形状のような、任意の形状をとることができる。例えば、図１に示す窓５０は、急降下（swoop）として記載することができる形状を有し、又は図３に示すように窓５０及び図形６０は円形状であってもよい。更に、図４に示すように、特定の実施形態では、複合窓９０は、複合窓９０のいくつかの部分が窓５０であり、別の部分が図形６０であるように、商品名、商標、ロゴ又はしるしのような製品識別子の形状をとってもよい。図形６０部分を、パッケージ２０の縁部２５に又はその付近に配置してもよい。
【００２１】
窓５０及び複合窓９０は、パッケージ２０上に位置することができる任意の大きさ又は寸法を有することができる。特定の実施形態では、窓５０は、パッケージ２０内に収容された吸収性物品４０の少なくともいくつかの部分を窓５０を通して見ることができるように、位置する。これは、販売時、特に、消費者が窓５０を通して包装紙を見ることができるように、吸収性物品４０が包装紙中にあるときに有益である。
【００２２】
特定の実施形態では、図１のように、パッケージ２０が箱又は小室（cubicle）の形状であるとき、小売店の棚上におけるパッケージ２０の目的の位置決めにより決定されるように、窓５０は、前壁、後壁、上壁、底壁、及び／又は側壁のような、パッケージ２０の少なくとも１つの壁２２上に位置してもよい。更に、パッケージ２０の壁２２上に位置する１つを超える窓５０が存在してもよい。窓５０は、パッケージ２０の壁２２上の任意の位置にあってもよい。特定の実施形態では、図５に示すように、窓５０及び図形６０を有する複合窓９０が、図形６０がパッケージ２０の少なくとも２つの隣接する縁部２５と接触するように、パッケージ２０の１つを超える縁部２５上に位置してもよい。パッケージ２０の２つの隣接する縁部２５上に位置する複合窓９０を有することにより、パッケージ上のより中央に位置する窓に比べて、吸収性物品の違う部分を消費者に見せることができるようになる。パッケージの２つの隣接する縁部において吸収性物品が露出していることもまた、その中に収容されている吸収性物品の特徴、又は他の方法で見ることができない吸収性物品のパッケージ化のいくつかの要素を強調するために有用である。
【００２３】
図６〜８に示すように、特定の実施形態では、窓５０及び少なくとも２つの図形６０、６０Ａを含む複合窓９０は、パッケージ２０の縁部２５から対向する縁２５まで延在してもよく、それによりパッケージ２０内に収容された吸収性物品の消費者に、更により大きな視覚的印象を提供する。例えば、特定の実施形態では、複合窓９０は、図６に示すように、パッケージ２０の上縁部２５Ａからパッケージ２０の底縁部２５Ｂまで、図７に示すように、パッケージ２０の１つの側縁２５Ｃからパッケージ２０の対向する側縁２５Ｄまで、及び／又は図８に示すように、斜め方向に延在してもよく、ここで複合窓９０は、パッケージ２０の２つの隣接する縁部２５Ａ、２５Ｄから斜め方向にパッケージ２０の別の２つの隣接する縁部２５Ｂ、２５Ｃまで延在する。
【００２４】
特定の実施形態では、パッケージは、図９に示すように２つ又はそれ以上の複合窓を含んでよく、ここでパッケージ２０は２つの複合窓９０、９０Ａを有する。複合窓９０、９０Ａは、２つの窓５０、５０Ａ及び２つの図形６０、６０Ａを含み、ここで図形６０、６０Ａは、消費者に集合窓５４の視覚的印象を提供するように、パッケージ２０の隣接する壁２２上に配置される。本明細書で使用するとき、用語「集合窓」は、２つ又はそれ以上の複合窓９０、９０Ａにより提供される単一（集合）窓の視覚的印象を指し、これは１つ又はそれ以上の縁部２５の少なくとも一部を共有する。特定の実施形態では、図１０に示すように、２つの複合窓９０、９０Ａを含む集合窓５４が存在してもよく、ここで図形６０、６０Ａは縁部２５の少なくとも一部を共有すると同時に、またパッケージ２０の１つ又はそれ以上の他の縁部２５’にも接触する。特定の他の実施形態では、図１１に示すように、パッケージ２０の隣接する壁２２上に位置するが、２つの個々の窓９０、９０Ａを形成する、窓５０に続く図形６０、及び第２の窓５０Ａに続く第２の図形６０Ａが存在してもよい。更なる実施形態では、図１２に示すように、パッケージ２０がその上に位置している１つを超える窓５０、５０Ａを有しているとき、全ての窓５０、５０Ａが図形６０に続く必要はない。特定の実施形態では、図形６０及び第２の図形６０Ａは、異なる視覚的構成を有してもよく、例えば、図形６０は婦人生理用ナプキンの形体であってもよく、第２の図形６０Ａが個々に包装された拭き取り用品の形体であってもよい。
【００２５】
特定の実施形態では、図１３に示すように、パッケージ２０及び第２のパッケージ２０Ａのように、２つ又はそれ以上のパッケージを含む、パッケージ配列１１０が提供される。特定の実施形態では、各個々のパッケージ２０、２０Ａ上に位置するのは、窓５０、５０Ａ及び図形６０、６０Ａを含む複合窓９０、９０Ａである。複合窓９０、９０Ａは図１３に示すような様式であってもよく、ここではパッケージ２０が販売時に第２のパッケージ２０Ａに隣接して位置するとき、消費者が窓の組み合わせ１００として２つの個々の複合窓９０、９０Ａを知覚するように、各パッケージ２０、２０Ａ上に位置する複合窓９０、９０Ａは消費者に視覚的印象を提供する。本明細書で使用するとき、用語「窓の組み合わせ」は、２つのパッケージが販売時に互いに隣接して定置されるとき、組み合わせてパッケージ上に位置する複合窓が単一（組み合わせ）窓の外観を提供するように、形成される窓の視覚的印象を指す。特定の実施形態では、図１４に示すように、パッケージの配列１１０の個々のパッケージ２０、２０Ａ上の複合窓９０、９０Ａが、パッケージ２０、２０Ａが販売時に互いに隣接して位置するとき、個々の複合窓９０、９０Ａが、各個々の複合窓９０、９０Ａとは異なる独特のデザイン又は形状を有する窓の組み合わせ１００を形成するような形状であることができる。特定の実施形態では、パッケージの配列１１０の各パッケージ２０、２０Ａに収容されている吸収性物品は同じであり、他の実施形態では、パッケージ２０に収容されている吸収性物品は第２パッケージ２０Ａに収容されている吸収性物品と異なる。
【００２６】
図１５に示すように、特定の実施形態では、パッケージ２０の複合窓９０は窓５０を含み、これはその上に配置された窓の図形７０を有する。本明細書で使用するとき、用語「窓の図形」は、パッケージの窓上に配置された吸収性物品の図形表示を指す。図形表示は、消費者に、吸収性物品がパッケージ内に封入され、窓を通してそれを見ることができる視覚的印象を提供する。窓の図形７０は、窓５０の一部上に、又は、窓５０の全領域にわたって配置することができる。特定の実施形態では、窓の図形７０及び図形６０は、吸収性物品の共通の図形表示を提供することができ、例えば、両方が消費者に窓を通して見ることができる個々に包装された拭き取り用品の図形表示を提供することができる。他の実施形態では、窓の図形７０及び図形６０は、吸収性物品の異なる図形表示を有することができ、例えば、窓の図形７０は、消費者に、窓により囲まれた個々に包装された拭き取り用品の図形表示を提供し、図形６０は窓により囲まれた婦人生理用ナプキンの図形表示を提供する。更に、窓の図形７０は、その上に配置された、パッケージ２０に収容されている吸収性物品と異なる吸収性物品の図形表示を有してもよい。
【００２７】
特定の実施形態では、窓はパッケージの壁の総表面積の約５％〜約９５％、他の実施形態では、壁の総表面積の約５％〜約７５％、更なる実施形態では、壁の総表面積の約５％〜約５０％、別の実施形態では壁の総表面積の約５％〜約２５％を含んでもよい。特定の実施形態では、吸収性物品は、吸収性物品の少なくとも一部を窓を通して見ることができるように、窓に隣接して位置することができる。
【００２８】
図１に示すように、図形６０は、パッケージ２０の縁部２５に向かう窓５０の境界５２に続くだけでなく、窓５０を通して見ることができる同じ種類の吸収性物品４０も表現する。パッケージ上に配置される図形の使用は、いくつかの利点を提供する。まず、図形が消費者に、パッケージの構造一体性を損なうことなく、窓がパッケージの縁部又は角部まで延在するという視覚的印象を提供することである。窓がパッケージの縁部又は角部まで延在する場合、パッケージの構造一体性が損なわれ、パッケージ及びその中に収容されている吸収性物品が、パッケージに及ぼされる圧力により損傷を受けやすくなる。窓を通して見ることができる吸収性物品の数が増加した視覚的印象は、消費者にいくつかの示唆を与える。例えば、窓をパッケージの縁部又は角部まで延在できることによって、消費者に、より小さな窓を有する他のパッケージより、パッケージ内に収容されている吸収性物品がより多く存在するという確信を抱かせる。更に、より多くの吸収性物品及び／又は吸収性物品を収容している包装紙を見せる能力は、消費者のパッケージに対する注意をより引きつける。更に、パッケージの窓を通して見ることができる吸収性物品以外の吸収性物品の図形を用いてもよい。これは、パッケージの窓を通して見ることができない吸収性物品を、図形の使用を通して消費者に知覚させることができる。それはまた、消費者に、パッケージ内のものに関連する吸収性物品、又はまだ販売されていない吸収性物品のような、パッケージ内に収容されていない吸収性物品を見せることもできる。
【００２９】
図形及び／又は窓の図形は、印刷又は図形を提供するための任意の他の既知の手段により提供してもよい。印刷を用いる場合、該印刷は、グラビア印刷、フレキソ印刷、オフセット印刷、インクジェット印刷等が挙げられるが、これらに限定されない、当該技術分野において既知である任意の従来の印刷方法又は技術であることができる。
【００３０】
パッケージ内に収容されている吸収性物品は、同じ又は２種（又はそれ以上の）の異なる吸収性物品を含むことができる。特定の実施形態では、パッケージ内に収容されている使い捨て吸収性物品は、婦人生理用ナプキン及びパンティライナのような婦人衛生物品である。図１に示すような、特定の他の実施形態では、個々に包装された拭き取り用品８０のような、単一の種類（又は１種のデザイン）の吸収性物品が、パッケージ２０内に収容されている。吸収性物品４０を配置して、パッケージ４０の内部格納空間３０内に積み重ね体を形成することができる。吸収性物品４０は、任意の配向で積み重ねてもよい。例えば、吸収性物品４０は、パッケージ２０の内部格納空間３０内部に、縦に、水平に、又は任意の角度で積み重ねてもよい。しかしながら、特定の実施形態では、吸収性物品４０は積み重ねられず、パッケージ内に単純に定置される。
【００３１】
図１を再び参照すると、特定の実施形態では、拭き取り用品８０はパケット８２内に個々に包装されてもよい。各パケット８２は、外部表面８４を有する。パケットは、紙、金属箔、高分子フィルム、金属化高分子フィルム、及び／又は当業者に既知である他の材料で製造してもよい。拭き取り用品８０がウェットタオルであるとき、拭き取り用品８０の湿潤性を維持することができる任意の材料をパケット８２のために用いることができる、例えば、エチレンビニルアルコール（ＥＶＯＨ）、プロピレンビニルアルコール（ＰＶＯＨ）、又はＬＤＰＥ（低密度ポリエチレン）のような高分子フィルム層の間に挟まれたアルミニウムを有する積層体である。特定の実施形態では、パケット８２は洗い流し可能（フラッシャブル（flushable））であり、崩壊する。このような洗い流し可能（フラッシャブル）なパケット８２は、シリコーン処理したポリビニルアルコールフィルム、又は、ポリビニルアルコールでコーティングされたフィルム、ポリビニルアルコールでコーティング若しくはポリビニルアルコールを含浸したティッシュ、又は他の水溶性材料を含んでもよい。
【００３２】
任意の実施形態では、パケット８２は任意の所望の形状であってもよい。例えば、パケット８２は、正方形、矩形、楕円形、円形又は平面図の任意の他の所望の形状であってもよい。パケット８２は、拭き取り用品８０に接近するために、パケット８２を開封する（又は開放する）ための手段を含むことができる。例えば、パケット８２は、ミシン目入り又はダイカットされた脆弱線を有して、パケット８２を、タブ、易剥離ラベル、又は任意の他の開放機構；掴持のための乾燥縁を有するステッカーのような「乾燥縁（Dry-edge）」ステッカー機構；解放可能な接着剤；解放可能な熱及び／又は圧力シール；穿孔；破裂シール；引裂シール；により容易に開放させることができ、又はパケット８２は易引裂フィルムのような比較的引裂が容易な材料で製造することができる。パケット８２は廃棄のために再密閉可能であってもよい。
【００３３】
特定の実施形態では、個々に包装された拭き取り用品を収容しているパケットを、吸収性物品に接合してもよい。パケットは、熱及び／又は圧力シール、超音波シール、のり状シール、及びダウ社（Dow Company）の「ジップロック（ZIP LOCKS）」のようなチャック式軌道封止機構のような、当業者に既知の方法を用いて吸収性物品に接合してもよい。特定の実施形態では、商品名、商標、ロゴ、カラースキーム、しるし又はこれらの組み合わせのような製品識別子を、パケット８２の外部表面８４上に配置してもよい。パケット８２の外部表面８４上に配置された製品識別子は、パケット８２が収容されているパッケージ２０の外部表面２４上に配置された製品識別子と同じであってもよい。
【００３４】
拭き取り用品は、天然繊維、合成繊維、又は２００３年１１月１１日に発行された米国特許第６，６４５，６０４号（フェレシュテークホウ（Fereshtehkhou）ら）及び２００３年５月１３日に発行された同第６，５６１，３５４号（フェレシュテークホウら）に記載されているもののような、天然繊維と合成繊維の混合物の織布又は不織布ウェブを含んでもよい。天然繊維は、木材パルプ繊維のようなセルロース繊維、綿及びレーヨンを含んでもよい。合成繊維は、例えば、ポリエステル及びポリプロピレン繊維のようなポリオレフィンのような、布地で一般的に用いられている繊維を含んでもよい。特定の他の実施形態では、拭き取り用品は、例えばトイレットペーパー又はティッシュペーパーの生産に用いる様式で、湿式材料で作られた紙材料等の、紙材料を含むことができる。特定の実施形態では、拭き取り用品は、絹及び／又は、１９９３年１１月９日に発行された米国特許第５，２６０，３４５号（デスマレー（DesMarais）ら）、１９９５年２月７日に発行された同第５，３８７，２０７号（ダイアー（Dyer）ら）、１９９８年１０月６日に発行された同第５，８１７，７０４号（シャイブリー（Shiveley）ら）、１９９６年８月２７日に発行された同第５，５５０，１６７号（デスマレー）、１９９８年１０月２７日に発行された同第５，８２７，９０９号（デスマレー）、２００２年４月２日に発行された同第６，３６５，６４２号（ダイアーら）に開示された発泡体のような、発泡体を含むことができる。拭き取り用品は、トイレに流すことができてもよい（即ち、それは「洗い流し可能（フラッシャブル）」である）。例えば、拭き取り用品は、下水道システムに移送されたとき、断片が下水道システムのいずれの要素をも詰まらせることのないように、十分に小さな断片に崩壊することもできる。
【００３５】
拭き取り用品は、皮膚を清浄化するため、又は吸収性物品を使用又は交換するとき、他の効果（下記のような）を提供するために用いてもよい、任意の大きさ又は形状であることができる。例えば、特定の実施形態では、拭き取り用品は矩形又は円形であってもよい。特定の実施形態では、拭き取り用品は、約２５平方センチメートル（約４平方インチ）の大きさから約５０平方センチメートル（約９平方インチ）の大きさであってもよい。特定の他の実施形態では、拭き取り用品は、約１００平方センチメートル（約１６平方インチ）の大きさから約３２０平方センチメートル（約５０平方インチ）の大きさであってもよい。
【００３６】
拭き取り用品は、有孔、非平坦、模様付きエンボス化、染色、インクで印刷された、透明ポリマー若しくは着色ポリマーでコーティングされた、又はこれらの組み合わせであってもよい。例えば、拭き取り用品は、印刷又は染色されて、活性成分の視覚信号を与えてもよい。
【００３７】
拭き取り用品は、液体系溶液を含むウェットタオルであることができる。特定の実施形態では、拭き取り用品は、液体系溶液を含浸した不織布を含むことができる。液体系溶液としては、例えば、界面活性剤、アルコール、芳香剤組成物、抗菌剤、ｐＨ緩衝剤、かゆみ止め剤、賦香剤、冷却剤、防腐剤、これらの組み合わせ、又はウェットタオルに含むための当該技術分野において既知である任意の他の物質を挙げることができる。拭き取り用品はまた、身体排出物がユーザの身体に付着するのを妨げることができる、シリコーンのような物質を含有することができる。液体系溶液はまた、例えば、水性又は非水性ローションのようなローションを含むことができる。特定の実施形態では、ローションは、皮膚から汚れを除去するのを補助することにより、拭き取り用品の清浄機能を向上させることができる。ローションはまた、皮膚と拭き取り用品との間及び／若しくは皮膚と吸収性物品との間の摩擦を低減することにより、並びに／又は、例えばアロエ、ビタミンＥ若しくはカモミールのような皮膚を鎮静化することができる材料を含有することにより、皮膚に効果を提供することもできる。他の実施形態は、乾燥拭き取り用品、又は鉱物油及び１９８４年１１月６日に発行された米国特許第４，４８１，２４３号（アレン（Allen）ら）に記載されている皮膚軟化剤のような、非水性洗浄溶液を含有する拭き取り用品を含むことができる。
【００３８】
１種又はそれ以上の芳香剤組成物を、よい香りのする拭き取り用品を生産するために、液体系溶液に含むことができる。あるいは、１種又はそれ以上の芳香剤組成物を、例えば、液体系溶液の添加前に芳香剤組成物を拭き取り用品に適用することによりといったように、任意の液体系溶液とは別々に拭き取り用品に含むことができる。拭き取り用品はまた、例えば、芳香剤組成物を含む担体物質のような別の成分を含むことができる。更に、１種又はそれ以上の芳香剤組成物は、拭き取り用品の少なくとも一部にそれとともに又はそれとは別に配置することができる。
【００３９】
本明細書に開示される寸法及び値は、列挙された正確な数値に厳しく限定されるものとして理解されるべきではない。それよりむしろ、特に指定されない限り、こうした各寸法は、列挙された値とその値周辺の機能的に同等の範囲の両方を意味することを意図する。例えば、「４０ミリメートル」として開示される寸法は、「約４０ミリメートル」を意味することを意図する。
【００４０】
「発明を実施するための形態」で引用した全ての文献は、関連部分において本明細書に参照により組み込まれるが、いずれの文献の引用も、それが本発明に対する先行技術であることを容認するものと解釈されるべきではない。本書における用語の任意の意味又は定義が、参照により組み込まれた文献における同一の用語の任意の意味又は定義と相反する限りにおいては、本書においてその用語に与えられた意味又は定義が適用されるものとする。
【００４１】
以上、本発明の特定の実施形態を図示、説明したが、本発明の趣旨及び範囲から逸脱することなく他の様々な変更及び改変を行うことが可能である点は当業者には自明であろう。したがって本発明の範囲に含まれるすべてのこうした変更及び改変を付属の特許請求の範囲において網羅するものである。
【図１】
2010523424.tif 000003
【図２】
2010523424.tif 000004
【図３】
2010523424.tif 000005
【図４】
2010523424.tif 000006
【図５】
2010523424.tif 000007
【図６】
2010523424.tif 000008
【図７】
2010523424.tif 000009
【図８】
2010523424.tif 000010
【図９】
2010523424.tif 000011
【図１０】
2010523424.tif 000012
【図１１】
2010523424.tif 000013
【図１２】
2010523424.tif 000014
【図１３】
2010523424.tif 000015
【図１４】
2010523424.tif 000016
【図１５】
2010523424.tif 000017
【国際調査報告】
2010523424.tif 000018
2010523424.tif 000019
2010523424.tif 000020
2010523424.tif 000021